(57)【特許請求の範囲】
【請求項１】
着用者の背側に配される背側部と着用者の腹側に配される腹側部とが予め環状に形成されているか又は環状に連結可能になされている使い捨ておむつであって、
着用者の股間部に配される股下部が、背側部及び腹側部に対して着脱自在に連結可能になされており、該股下部は、吸収体及び一対のレッグギャザーを有しており、且つ該股下部の周囲を囲むように立体ギャザーが形成されており、
前記股下部は、一対のレッグギャザーより幅方向内側の位置に、一対のサイド立体ギャザーを有しており、前後方向の両端部それぞれの近傍に、背側立体ギャザー及び腹側立体ギャザーを有しており、
背側立体ギャザー及び／又は腹側立体ギャザーは、自由端が固定端より前後方向の外方に位置するように形成されている、使い捨ておむつ。
【請求項２】
前記一対のサイド立体ギャザーは、股下部の前後方向の両端部又はその近傍に、立体ギャザー形成用シートどうしの重合部又は立体ギャザー形成用シートの自由端側の縁部どうしが突き合わされた突き合わせ部分を有している、請求項１記載の使い捨ておむつ。
【請求項３】
前記サイド立体ギャザーは、股下部の中央部における幅が、股下部の前後方向の両端部における幅より狭くなるようになされている、請求項１又は２記載の使い捨ておむつ。
【請求項４】
前記股下部に、背側立体ギャザー及び／又は腹側立体ギャザーが、複数形成されており、複数形成された立体ギャザーのうちの一方は、自由端が固定端より前後方向の内方に位置するように形成された前記の背側立体ギャザー及び／又は腹側立体ギャザーであり、他方は、自由端が固定端より前後方向の外方に位置するように形成されている、請求項１〜３の何れか１項に記載の使い捨ておむつ。
【発明の詳細な説明】
【技術分野】
【０００１】
本発明は、使い捨ておむつに関する。
【背景技術】
【０００２】
使い捨ておむつの着用中に尿や大便が排泄されると、それらは、着用者の股間部に配されている部分から着用者の背側や腹側に位置する部分へと拡がるため、排泄量や排泄からの経過時間等によっては、使い捨ておむつを取り外したときに、着用者の腹側や背側に位置する部分には、排泄物によって汚されていない部分が残っていることも多い。
そのような場合、排泄物によって汚れた部分のみを分離して交換することができれば、無駄がなく、ゴミの減量にもなる。
特許文献１には、着用者の胴回りに配置される環状の胴回り部と、着用者の背側から股下を経て腹側に延び胴回り部に接続される股間部とを備え、股間部が胴回り部に脱着自在に取り付けられるパンツ型の着用物品が記載されている。
【０００３】
【特許文献１】特開２００８−３６０１９号公報
【発明の概要】
【発明が解決しようとする課題】
【０００４】
しかし、特許文献１のパンツ型の着用物品においては、股間部から環状の胴回り部に尿や軟便が移動し易く、保護者や介護者が適切な交換時期と判断して股間部を交換したとしても、その時点では、既に胴回り部が排泄物で汚れている場合が多く生じる。そのため、股間部と共に胴回り部も交換するか、汚れた胴回り部を我慢させて継続使用させる必要が生じる。胴回り部の頻繁な交換は資源の有効活用の点で好ましくなく、汚れた胴回り部の継続使用は皮膚トラブルや衛生面の点で好ましくない。
【０００５】
本発明は、背側部及び腹側部を着用者から取り外さずに股下部のみを交換することができ、また、背側部及び腹側部の交換頻度を大幅に低減可能な使い捨ておむつに関する。
【課題を解決するための手段】
【０００６】
本発明は、着用者の背側に配される背側部と着用者の腹側に配される腹側部とが予め環状に形成されているか又は環状に連結可能になされている使い捨ておむつであって、着用者の股間部に配される股下部が、背側部及び腹側部に対して着脱自在に連結可能になされており、該股下部は、吸収体及び一対のレッグギャザーを有しており、且つ該股下部の周囲を囲むように立体ギャザーが形成されている使い捨ておむつを提供するものである。
【発明の効果】
【０００７】
本発明の使い捨ておむつによれば、背側部及び腹側部を着用者から取り外さずに股下部のみを交換することができ、また、背側部及び腹側部の交換頻度を大幅に低減可能である。
【図面の簡単な説明】
【０００８】
【図１】図１は、本発明の第１実施形態の使い捨ておむつを示す斜視図であり、股下部を、背側部及び腹側部に連結した状態を示してある。
【図２】図２は、第１実施形態の使い捨ておむつを示す図であり、股下部を、背側部及び腹側部から分離した状態を示す平面図である。図２における股下部は、各部の弾性部材を伸長させて、設計寸法（弾性部材の影響を一切排除した状態で平面状に広げたときの寸法と同じ）となるまで拡げた状態を示してある。
【図３】図３は、図１のＩＩＩ−ＩＩＩ線に沿う断面図である。
【図４】図４は、図２のＩＶ−ＩＶ線に沿う断面図である。
【図５】図５は、本発明の第２実施形態の使い捨ておむつにおける股下部を示す平面図である。
【図６】図６は、図５のＶＩ−ＶＩ線断面図である。
【図７】図７は、本発明の第３実施形態の使い捨ておむつにおける股下部を示す平面図である。
【図８】図８は、本発明の第４実施形態の使い捨ておむつにおける股下部を示す平面図である。
【図９】図９は、図８のＩＸ−ＩＸ線断面図である。
【図１０】図１０は、本発明の第５実施形態の使い捨ておむつにおける股下部を示す平面図である。
【図１１】図１１は、図１０のＸＩ−ＸＩ線断面図である。
【図１２】図１２は、本発明の他の実施形態における股下部の前後方向の端部付近を示す断面図である。
【図１３】図１３は、本発明の更に他の実施形態を示す側面図である。
【発明を実施するための形態】
【０００９】
以下本発明を、その好ましい実施形態に基づき説明する。
図１は、本発明の第１実施形態の使い捨ておむつを示す斜視図であり、股下部を、背側部及び腹側部に連結した状態を示してある。図２は、第１実施形態の使い捨ておむつを示す図であり、股下部を、背側部及び腹側部から分離した状態を示す平面図である。
【００１０】
第１実施形態の使い捨ておむつ１（以下、単におむつ１ともいう）は、図１に示すように、着用時に、着用者の背側に配される背側部２、着用者の腹側に配される腹側部３、及び着用者の股間部に配される股下部４を有している。図１に示すように背側部２、腹側部３及び股下部４を連結した状態において、背側部２から股下部４を経て腹側部３に至る方向を前後方向（図中Ｘ方向、以下、単にＸ方向ともいう）、該前後方向に直交する方向を幅方向（図中Ｙ方向、以下、単にＹ方向ともいう）とする。
【００１１】
背側部２のＹ方向の両端部には一対のファスニングテープ２１，２１が設けられており、腹側部３の外面（非肌当接面）には一対のファスニングテープ２１，２１を止着可能なランディングテープ３１が設けられている。背側部２及び腹側部３は、一対のファスニングテープ２１をランディングテープ３１に止着することにより、環状に連結可能である。この連結は、通常、展開型の使い捨ておむつと同様におむつ１を装着する際に行う。
【００１２】
背側部２は、図３に示すように、液透過性の表面シート２２、液不透過性又は撥水性の裏面シート２３、及び両シート間に挟持された液保持性の吸収体２４を備えている。腹側部３も、背側部２と同様に、液透過性の表面シート３２、液不透過性又は撥水性の裏面シート（図示せず）、及び両シート間に挟持された液保持性の吸収体３４を備えている。また、背側部２及び腹側部３における、着用者のウエスト部に配されるウエスト側端部には、Ｙ方向に伸縮する弾性部材２５，３５が配されている。
【００１３】
股下部４は、図２に示すように、各部の弾性部材を伸長させて平面状とした状態（以下「伸長状態」ともいう）において矩形状をなしている。股下部４は、Ｘ方向の両端部に、該股下部４を、背側部２及び腹側部３に対して着脱自在に連結するための止着手段４１を備えている。
止着手段４１としては、ホットメルト粘着剤等の塗工等により形成した粘着部や、機械的面ファスナーのオス部材等を好ましく用いることができる。止着手段４１が粘着部である場合、背側部２及び腹側部３における、止着手段４１を止着する被止着領域２６，３６には、そこが被止着領域であることが判るようにしておくことが好ましく、例えば、色分け、囲み、文字等により、被止着領域であることを示しておくことが好ましい。他方、止着手段４１が機械的面ファスナーのオス部材である場合、背側部２及び腹側部３における、止着手段４１を止着する被止着領域２６，３６には、オス部材の突起が係合可能なループ等を有する機械的面ファスナーのメス部材を配置しておくことが好ましい。また、背側部２又は腹側部３の外表面を係合性に富む不織布で構成し、該不織布に、機械的面ファスナーのオス部材を係合させることもできる。この場合も、止着手段４１を止着する被止着領域２６，３６が判るように、機械的面ファスナーのオス部材を止着するべき特定の領域を、色分け、囲み、文字等により示しておくことが好ましい。
【００１４】
股下部４は、図３及び図４に示すように、液透過性の表面シート４２、液不透過性又は撥水性の裏面シート４３、及び両シート間に挟持された液保持性の吸収体４４を備えている。おむつ１における裏面シート４３は、透湿性又は非透湿性の樹脂フィルム４３ａと不織布４３ｂとが貼り合わされた積層シートであるが、樹脂フィルム４３ａのみからなる裏面シート４３であっても良いことは勿論である。
【００１５】
また、股下部４は、図２及び図４に示すように、Ｙ方向の両端近傍に一対のレッグギャザー４５，４５を有している。レッグギャザー４５，４５は、それぞれ、裏面シート４３と、サイド立体ギャザー５１，５２用の立体ギャザー形成用シート５５との間に、弾性部材４６を伸長状態で固定することによって形成されている。レッグギャザー４５及び弾性部材４６は、それぞれ、Ｘ方向に沿って延びている。
【００１６】
また、股下部４は、図２及び図４に示すように、Ｙ方向における、一対のレッグギャザー４５，４５それぞれより内側の位置に、一対のサイド立体ギャザー５１，５２を有している。また、股下部４は、図２及び図３に示すように、Ｘ方向の両端部それぞれの近傍に、背側立体ギャザー５３及び腹側立体ギャザー５４を有している。
【００１７】
サイド立体ギャザー５２は、吸収体４４の側縁よりやや外方の位置に、Ｘ方向に沿って延びる固定端５６を有している。サイド立体ギャザー用の立体ギャザー形成用シート５５は、固定端５６よりＹ方向の外方に位置する部分及び股下部４のＹ方向の両端部に位置する部分が、その下に配された部材（例えば、表面シート４２、裏面シート４３等）に公知の接合手段によって接合されている。そして、立体ギャザー形成用シート５５における、固定端５６よりＹ方向の内側（股下部４の前後方向中央線Ｐ側）であって、Ｘ方向の両端部に存する固定部間に位置する部分が、シート５５に伸長状態で固定された弾性部材５７の収縮によって表面シート等から離間して起立し、サイド立体ギャザー５２を形成する。サイド立体ギャザー５１は、股下部４の前後方向中央線Ｐに対して左右対称である以外は、サイド立体ギャザー５２と同様の構成を有する。股下部４の前後方向中央線Ｐは、股下部４の前後方向（Ｘ方向）に延びる中央線である。
【００１８】
背側立体ギャザー５３は、吸収体４４の前後方向の端縁よりやや外方の位置に、Ｙ方向に沿って延びる固定端５８を有している。背側又は腹側立体ギャザー用の立体ギャザー形成用シート５９は、固定端５８よりＹ方向の外方に位置する部分及び股下部４のＹ方向の両端部に位置する部分が、その下に配された部材（例えば、表面シート４２、裏面シート４３、立体ギャザー形成用シート５５等）に公知の接合手段によって接合されている。そして、立体ギャザー形成用シート５９における、固定端５８よりＸ方向の内側（股下部４の幅方向中央線Ｑ側）であって、Ｙ方向の両端部に存する固定部間に位置する部分が、シート５９に伸長状態で固定された弾性部材６０の収縮によって表面シート等から離間して起立し、背側立体ギャザー５３を形成する。腹側立体ギャザー５４は、股下部４の幅方向中央線Ｑに対して前後対称である以外は、背側立体ギャザー５３と同様の構成を有する。股下部４の幅方向中央線Ｑは、股下部４の幅方向（Ｙ方向）に延びる中央線である。
【００１９】
第１実施形態のおむつ１においては、このように、一対のサイド立体ギャザー５１，５２並びに背側及び腹側立体ギャザー５３，５４が、股下部４の周囲を囲むように形成されている。
また、第１実施形態のおむつ１における一対のサイド立体ギャザー５１，５２は、図２及び図４に示すように、自由端６１が固定端５６より幅方向の内方（前後方向中央線Ｐ側）に位置するように形成されており、背側立体ギャザー５３及び腹側立体ギャザー５４は、図２及び図３に示すように、自由端６２が固定端５８より前後方向の内方（幅方向中央線Ｑ側）に位置するように形成されている。
また、股下部４の四隅部に存する、サイド立体ギャザー５１，５２と背側又は腹側立体ギャザー５３，５４との重なり部分では、背側及び腹側立体ギャザー５３，５４が、肌に近い側となるように重なっている。
【００２０】
第１実施形態のおむつ１は、図１に示すように、股下部４を、止着手段４１を介して背側部２及び腹側部３に連結した状態とすることにより、通常の展開型の使い捨ておむつと同様にして、着用者に装着することができる。
そして、着用中に排泄された尿や大便の処理を行う際には、背側部及び腹側部を着用者から取り外すことなく、股下部のみを取り外し、該股下部のみを、新たな股下部に交換することができる。
股下部に排泄された尿や軟便等は、股下部の前後方向や幅方向に拡がるが、立体ギャザー５１〜５４が股下部４の周囲を囲むように形成されているため、それらが背側部２や腹側部３に拡がって背側部２や腹側部３を汚すことが効果的に防止される。
そのため、股下部４と共に背側部２及び／又は腹側部３も交換しなくてはならないといった事態が生じる頻度を低減することができ、資源の有効活用を図ることができる。また、背側部２や腹側部３が汚れにくいので、汚れた背側部２や腹側部３を我慢させて継続使用させる必要もない。
また、レッグギャザー４５，４５が着用者の脚廻りに良好にフィットするため、脚廻りからの漏れを防止することができる。
【００２１】
股下部４は、前後方向（Ｘ方向）の全長が、股下部４を、背側部２及び腹側部３と連結した状態のおむつの前後方向の全長に対して、５５〜８０％であることが好ましく、６０〜７０％であることがより好ましい。
【００２２】
おむつ１における各部の形成材料について説明すると、表面シート４２、裏面シート４３、吸収体４４、立体ギャザー形成用シート５５，５９、弾性部材４６，５７，６０等としては、従来の使い捨ておむつにおいて、それぞれの材料として従来用いられている各種の材料等を、特に制限なく用いることができる。
例えば、表面シート４２としては、各種製法による不織布や、開孔フィルム、これらの積層体等を用いることができる。裏面シート４３としては、透湿性又は非透湿性の樹脂フィルムやこれに不織布を一体化させた積層体等を用いることができる。吸収体４４としては、パルプ繊維等からなる繊維集合体（不織布でも良い）又はこれに高吸水性ポリマーを保持させたものを、ティッシュペーパーや透水性の不織布で被覆してなるもの等を用いることができる。立体ギャザー形成用シート５５，５９としては、撥水性の不織布（サーマルボンド不織布、スパンボンド不織布、スパンボンドーメルトブローンースパンボンド不織布、スパンボンドーメルトブローンーメルトブローンースパンボンド不織布等）や、樹脂フィルムと不織布との積層体等を用いることができる。弾性部材４６，５７，６０の素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、弾性部材４６，５７，６０の形態としては、断面が矩形、正方形、円形、多角形状等の糸状（糸ゴム等）若しくは紐状（平ゴム等）のもの、又はマルチフィラメントタイプの糸状のもの等を用いることができる。
【００２３】
次に、本発明の第２〜第５実施形態の使い捨ておむつについて説明する。
第２〜第５実施形態については、第１実施形態と異なる点について説明し、同様の点については説明を省略する。第１実施形態と同様の構成要素には同一の符号を付す。特に説明しない点は、第１実施形態と同様の構成とすることができる。
【００２４】
第２実施形態における股下部４Ａには、図５に示すように、一対のレッグギャザー４５，４５及び一対のサイド立体ギャザー５１，５２が形成されている一方、背側立体ギャザー及び腹側立体ギャザーが形成されていない。また、股下部４Ａにおける一対のサイド立体ギャザー５１，５２は、股下部４ＡのＸ方向の両端部又はその近傍に、立体ギャザー形成用シートどうしの重合部６５，６５を有している。
【００２５】
また、第２実施形態におけるサイド立体ギャザー５１，５２は、図５及び図６に示すように、固定端５６と自由端６１との間に、サイド立体ギャザーの幅を減じる減幅部６６を設けることにより、股下部４Ａの前後方向の中央部における幅を、股下部４Ａの前後方向の両端部における幅より狭くしてある。図６に示す減幅部６６は、立体ギャザー形成用シート５５の一部を摘んでシートの積層部を形成し、その積層状態を接着剤６６ａにより固定してなる重層部である。減幅部６６としての重層部は、股下部４ＡのＹ方向の内方側（吸収体側）に突出するように形成しても良いし、外方側に突出するように形成しても良いし、何れの側にも殆ど突出しないように形成しても良い。また、減幅部６６としてシート５５が３層以上に積層された重層部を形成したり、減幅部６６として、重層部以外の構成のものを形成しても良い。また、重層部におけるシート５５の積層状態の固定は、接着剤６６ａ以外の手段、例えばヒートシール、超音波シール、高周波シール、縫合、これらと接着剤との併用等により行っても良い。
【００２６】
第３実施形態における股下部４Ｂは、図７に示すように、第２実施形態における股下部４Ａに、第１実施形態における、背側立体ギャザー５３及び腹側立体ギャザー５４を、第１実施形態におけるのと同様の態様で設けた構成を有している。
【００２７】
第２及び第３実施形態の使い捨ておむつも、第１実施形態のおむつ１と同様に、股下部４Ａ，４Ｂを、背側部２及び腹側部３に止着手段４１を介して連結した状態として使用する。
第２実施形態においては、図５に示すように、一対のサイド立体ギャザー５１，５２によって、股下部４の周囲が囲まれている。そのため、尿や軟便等が、背側部２や腹側部３に拡がって背側部２や腹側部３を汚すことが効果的に防止され、第１実施形態と同様の効果が奏される。第２実施形態における股下部４Ａは、前後方向（Ｘ方向）を機械方向（ＭＤ方向）として製造する際に、ＣＤ方向に沿う方向に沿う弾性部材を導入しなくても良い利点もある。
【００２８】
第３実施形態においては、第２実施形態と同様に、一対のサイド立体ギャザー５１，５２によって、股下部４の周囲が囲まれている上に、背側立体ギャザー５３及び腹側立体ギャザー５４を有している。そのため、尿や軟便等が、背側部２や腹側部３に拡がって背側部２や腹側部３を汚すことが一層効果的に防止される。
【００２９】
第４実施形態における股下部４Ｃは、図８及び９に示すように、第２実施形態における股下部４Ａとほぼ同様の構成を有する基本構造部分に、背側立体ギャザー５３Ｃ及び腹側立体ギャザー５４Ｃを設けた構成を有している。
また、背側立体ギャザー５３Ｃ及び腹側立体ギャザー５４Ｃは、それぞれ、自由端６２が固定端５８よりＹ方向の外方に位置するように形成されている。
より具体的には、背側立体ギャザー５３Ｃは、吸収体４４の前後方向（Ｘ方向）の端縁よりやや外方の位置に、幅方向（Ｙ方向）に沿って延びる固定端５８を有している。背側立体ギャザー用の立体ギャザー形成用シート５９は、図９に示すように、固定端５８の近傍において、Ｘ方向の外方に向かって折り返されており、その状態で、該シート６９のＹ方向の両端部が、股下部４ＣのＹ方向の両端部において、サイド立体ギャザー用の立体ギャザー形成用シート５５上に固定されている。腹側立体ギャザー５４Ｃは、股下部４の幅方向中央線Ｑに対して前後対称である以外は、背側立体ギャザー５３Ｃと同様の構成を有する。
【００３０】
第４実施形態によれば、一対のサイド立体ギャザー５１，５２によって、股下部４の周囲が囲まれているため、尿や軟便等が、背側部２や腹側部３に拡がって背側部２や腹側部３を汚すことが効果的に防止され、第１実施形態と同様の効果が奏される。
また、背側立体ギャザー５３Ｃ及び腹側立体ギャザー５４Ｃが、それぞれ、自由端６２が固定端５８より前後方向の外方に位置するように形成されているため、尿や軟便等がサイド立体ギャザー５１，５２を越えてしまった場合でも、背側立体ギャザー５３Ｃまたは腹側立体ギャザー５４Ｃを介して背側部２または腹側部３に拡げて吸収することができるため、連結部からの滲み出しを防止することができる。
【００３１】
第５実施形態における股下部４Ｄは、図１０及び１１に示すように、第２実施形態における股下部４Ａに、背側立体ギャザー５３及び腹側立体ギャザー５４を、それぞれ複数設けた構成を有している。
第５実施形態における背側立体ギャザー５３について説明すると、股下部４Ｄには、背側立体ギャザー５３が２本設けられており、そのうちの一方の背側立体ギャザー５３ａは、自由端６２ａが固定端５８ａより前後方向（Ｘ方向）の内方（股下部４の幅方向中央線Ｑ側）に位置するように形成されており、他方の背側立体ギャザー５３ｂは、自由端６２ｂが固定端５８ｂよりＸ方向の外方に位置するように形成されている。腹側立体ギャザー５４についても同様であり、一方の腹側立体ギャザー５４ａは、自由端６２ａが固定端５８ａより前後方向（Ｘ方向）の内方（股下部４の幅方向中央線Ｑ側）に位置するように形成されており、他方の背側立体ギャザー５４ｂは、自由端６２ｂが固定端５８ｂよりＸ方向の外方に位置するように形成されている。
【００３２】
第５実施形態によれば、一対のサイド立体ギャザー５１，５２によって、股下部４の周囲が囲まれているため、尿や軟便等が、背側部２や腹側部３に拡がって背側部２や腹側部３を汚すことが効果的に防止され、第１実施形態と同様の効果が奏される。また、その一対のサイド立体ギャザー５１，５２に加えて、更に、自由端６２ａが前後方向の内方に向いた背側立体ギャザー５３ａ及び腹側立体ギャザー５４ａを有するため、尿や軟便等が、背側部２や腹側部３に拡がって背側部２や腹側部３を汚すことが一層効果的に防止される。
また、自由端６２ｂが前後方向の外方に向いた背側立体ギャザー５３ｂ及び腹側立体ギャザー５４ｂを有するため、尿や軟便等が背側立体ギャザー５３ａや腹側立体ギャザー５４ａを越えてしまった場合でも、背側立体ギャザー５３ｂまたは腹側立体ギャザー５４ｂを介して背側部２または腹側部３に拡げて吸収することができるため、連結部からの滲み出しを防止することができる。
【００３３】
本発明における股下部は、前後方向（Ｘ方向）の一端部又は両端部に、立体ギャザー以外の部分をＺ字状に折り返した部分を有することも好ましい。
図１２は、第１実施形態における股下部４の背側部２側の端部に、Ｚ字状に折り返した部分７を形成したものを示す図である。
図１２に示す折り返し部分７は、吸収体４４のＸ方向の端縁から延出する表面シート４２及び裏面シート４３を、該吸収体４４の端縁近傍で折り返した第１折曲部７１と、表面シート４２及び裏面シート４３を、第１折曲部７１よりも前後方向（Ｘ方向）の内方に位置する第２折曲部７２とを有しており、第１折曲部７１と第２折曲部７２との間に位置する部分と、吸収体４４上に位置する表面シート４２との間にポケット７３が形成されている。
股下部の前後方向（Ｘ方向）の一端部又は両端部にＺ字状の折り返し部分７を形成することにより、股下部から、背側部及び／又は腹側部への尿や軟便等の移行を一層効果的に防止することができる。
【００３４】
以上、本発明の使い捨ておむつの幾つかの実施形態を示して本発明を説明したが、本発明は、前述した実施形態に制限されるものではなく、本発明の趣旨を逸脱しない範囲において種々変形可能である。
【００３５】
例えば、本発明における使い捨ておむつは、図１３に示すように、背側部２と腹側部３とが予め環状に形成されているものであっても良い。図１３に示す使い捨ておむつにおける背側部２と腹側部３は、通常のパンツ型の使い捨ておむつにおける着用者の胴回りに配される部分とほぼ同様の構成を有している。環状に連結可能な背側部及び腹側部は、平面視形状が長方形であっても良い。
【００３６】
また、第１実施形態におけるサイド立体ギャザー５１，５２は、その自由端６１，６１が、股下部４のレッグギャザー４５，４５の伸縮方向と平行になるように形成されているが、サイド立体ギャザー５１，５２の自由端６１，６１は、股下部の幅方向内方に向かって凸の円弧状をなしていても良い。また、背側部２及び／又は腹側部３における、吸収体２４，３４や弾性部材２５，３５はなくても良い。
【００３７】
また、第２〜第５実施形態におけるサイド立体ギャザー５１，５２は、股下部の前後方向の両端部に、立体ギャザー形成用シートどうしの重合部６５を有していたが、前後方向における背側部側及び／又は腹側部側の端部に、そのような重合部に代えて、立体ギャザー形成用シートの自由端側の縁部どうしが突き合わされた突き合わせ部分を有していても良い。
また、第２〜第５実施形態におけるサイド立体ギャザー５１，５２は、減幅部６６を設けなくても良く、サイド立体ギャザーの幅が全長に亘って均一であってもよい。
【００３８】
また、上述した一の実施形態におけるサイド立体ギャザーと、他の実施形態における、背側立体ギャザー及び／又は腹側立体ギャザーとを任意に組み合わせて設けることもできる。
例えば、第１実施形態の股下部４に、第１実施形態における背側立体ギャザー５３及び／又は腹側立体ギャザー５４に代えて、第３〜第５実施形態における背側立体ギャザー及び／又は腹側立体ギャザーを設けることもできる。また、第１実施形態におけるサイド立体ギャザーと、第３〜第５実施形態における背側立体ギャザー及び／又は腹側立体ギャザーとを組み合わせて設けることもできる。
【００３９】
また、第１実施形態のおむつ１においては、股下部４側に、粘着部や機械的面ファスナーのオス部材等の止着手段４１を設けて、該股下部４を、背側部２及び腹側部３に対して着脱自在に取り付けるようにしたが、これに代えて、背側部２及び／又は腹側部３側に、粘着部や機械的面ファスナーのオス部材等の止着手段を設け、股下部４に、該止着手段を止着する被止着領域を設けることもできる。
また、第１実施形態のおむつ１においては、図３に示すように、股下部４の肌当接面側に背側部２及び腹側部３を重ねて、これらを連結するようにしたが、これに代えて、股下部４の非肌当接面側に背側部２及び／又は腹側部３を重ねて、これらを連結するようにしても良い。他の実施形態についても同様である。
【００４０】
また、第１〜第５実施形態における股下部においては、レッグギャザー４５及び一対のサイド立体ギャザー５１，５２に、それぞれ２本の弾性部材が配されていたが、それぞれ１本又は３本以上配されていても良い。背側立体ギャザー５３及び腹側立体ギャザー５４に配する弾性部材も、それぞれ、１本、２本又は３本以上とすることもできる。
また、背側立体ギャザー５３及び／又は腹側立体ギャザー５４を構成する立体ギャザー形成用シートは、２枚のシートを２つ折りして２層構造とした積層シートに代えて、サイド立体ギャザー用の立体ギャザー形成用シートのように、弾性部材の配置部位を除いて１枚のシートからなるもの等であっても良い。また、サイド立体ギャザー用の立体ギャザー形成用シートとして、２枚のシートを２つ折りして２層構造とした積層シートや３層構造以上の積層シート等を用いることもできる。
【符号の説明】
【００４１】
１  使い捨ておむつ
２  背側部
２１  ファスニングテープ
３  腹側部
３１  ランディングテープ
４，４Ａ〜４Ｄ  股下部
４１  止着手段
４２  表面シート
４３  裏面シート
４４  吸収体
４５  レッグギャザー
４６  レッグギャザー形成用の弾性部材
５１，５２  サイド立体ギャザー
５６  サイド立体ギャザーの固定端
６１  サイド立体ギャザーの自由端
５５  サイド立体ギャザー用の立体ギャザー形成用シート
６６  重層部（減幅部）
５３，５３Ｃ  背側立体ギャザー
５４，５４Ｃ  腹側立体ギャザー
５８  背側又は腹側立体ギャザーの固定端
６２  背側又は腹側立体ギャザーの自由端
５９  背側又は腹側立体ギャザー用の立体ギャザー形成用シート
Ｐ  股下部の前後方向中央線
Ｑ  股下部の幅方向中央線
【図１】
0005525254.tif 000002
【図２】
0005525254.tif 000003
【図３】
0005525254.tif 000004
【図４】
0005525254.tif 000005
【図５】
0005525254.tif 000006
【図６】
0005525254.tif 000007
【図７】
0005525254.tif 000008
【図８】
0005525254.tif 000009
【図９】
0005525254.tif 000010
【図１０】
0005525254.tif 000011
【図１１】
0005525254.tif 000012
【図１２】
0005525254.tif 000013
【図１３】
0005525254.tif 000014